(57)【要約】ガス流から成分を除去する方法及びリアクタが提供される。一実施形態では、該方法は除去対象の成分を含むガス流を準備することと、前記ガス流が上昇するにつれて、前記成分を該ガス流から、リアクタの吸着部を落下する吸着剤のマイクロビーズへと吸着させることとを含む。
2014516785.tif 000002
【特許請求の範囲】
【請求項１】
ガス流から成分を除去する方法であって、
除去対象の前記成分を含む前記ガス流を準備することと、
前記ガス流が上昇するにつれて、前記成分を該ガス流から、リアクタの吸着部を落下する吸着剤のマイクロビーズへと吸着させることと、
を含む、方法。
【請求項２】
除去対象の前記成分が二酸化炭素（ＣＯ２）を含む、請求項１に記載の方法。
【請求項３】
前記吸着剤が炭素系吸着剤を含む、請求項１に記載の方法。
【請求項４】
前記吸着剤が球状粒物質を含む、請求項３に記載の方法。
【請求項５】
前記吸着剤が改良型炭素吸着剤（ＡＣＳ）を含む、請求項４に記載の方法。
【請求項６】
前記ガス流１キログラム（ｋｇ）当たりおよそ１ｋｇ〜５ｋｇの前記吸着剤を添加する、請求項１に記載の方法。
【請求項７】
前記吸着部における滞留時間がおよそ６秒〜１０秒になるような速度で前記吸着剤を落下させるとともに、前記ガスを供給する、請求項１に記載の方法。
【請求項８】
ガス流から成分を除去する方法であって、
除去対象の前記成分を含む前記ガス流を準備することと、
前記ガス流が上昇するにつれて、前記成分を該ガス流から、リアクタの吸着部を落下する吸着剤のマイクロビーズへと吸着させることと、
前記リアクタの蒸留部において前記吸着剤を加熱することであって、該吸着剤から前記成分を放出することと、
前記吸着剤を冷却するとともに、前記リアクタの前記吸着部へと該吸着剤を再循環させることであって、吸着を行うことと、
を含む、方法。
【請求項９】
除去対象の前記成分が二酸化炭素（ＣＯ２）を含む、請求項８に記載の方法。
【請求項１０】
前記吸着剤が炭素系吸着剤を含む、請求項８に記載の方法。
【請求項１１】
前記吸着剤が球状粒物質を含む、請求項１０に記載の方法。
【請求項１２】
前記吸着剤が改良型炭素吸着剤（ＡＣＳ）を含む、請求項１１に記載の方法。
【請求項１３】
前記ガス流１キログラム（ｋｇ）当たりおよそ１ｋｇ〜５ｋｇの前記吸着剤を添加する、請求項８に記載の方法。
【請求項１４】
前記吸着部における滞留時間がおよそ６秒〜１０秒になるような速度で前記吸着剤を落下させるとともに、前記ガスを供給する、請求項８に記載の方法。
【請求項１５】
前記吸着剤を、およそ１バールの蒸気を用いて前記蒸留部において少なくとも摂氏１１０度（℃）に加熱する、請求項８に記載の方法。
【請求項１６】
準備、吸着、加熱及び冷却を連続的に行う、請求項８に記載の方法。
【請求項１７】
ガス流から選択成分を連続的に除去するリアクタであって、
前記ガス流が上方へと送出される一方で、吸着剤のマイクロビーズが落下する吸着部と、
前記吸着剤から他の成分を除去する、前記吸着部と接続された移行部と、
前記吸着剤から前記選択成分を除去する、前記移行部と接続された蒸留部と、
を備える、リアクタ。
【請求項１８】
前記吸着剤が改良型炭素吸着剤（ＡＣＳ）を含む、請求項１７に記載のリアクタ。
【請求項１９】
前記吸着部が構造充填剤を含む、請求項１７に記載のリアクタ。
【請求項２０】
前記蒸留部から前記吸着部へと前記吸着剤を還送する手段を更に備える、請求項１７に記載のリアクタ。
【発明の詳細な説明】
【技術分野】
【０００１】
本開示は概して、ガス混合物を吸着分離する、また不純物の吸着分離によりガスを精製する、落下式マイクロビーズプロセス及びその均等物に関する。
【０００２】
［関連出願の相互参照］
本願は、米国特許法第１１９条（ｅ）項に基づき２０１１年６月９日付で出願された米国仮特許出願第６１／４９５，１９６号（その全体が引用することにより本明細書の一部をなすものとする）に対する優先権を主張するものである。
【０００３】
［政府支援の陳述］
本発明は、エネルギー省（ＮＥＴＬ）により授与された契約番号ＤＥ−ＮＴ０００５５７８の下で政府の支援を受けて為されたものである。政府は本発明に或る一定の権利を有する。
【背景技術】
【０００４】
ガス混合物の分離は様々な理由から必要とされている。プロセスによっては、例えばポリエチレンの生成のための製油所ガス流からのエチレンの分離では、生成物がガスの混合物として生じるものがある。またプロセスによっては、廃棄物流を処理して環境汚染物質を取り除かなければ、廃棄物流を放出することができないものもある。別の例では、排出流から溶媒蒸気を分離することで、揮発性溶媒を回収しプロセスに再利用することができる。別の例では、発電所からの温室効果ガスの排出を、排ガスから二酸化炭素（ＣＯ２）を分離し、隔離に適した純粋なＣＯ２流を得ることによって排除することができる。
【０００５】
現在の分離プロセスは不十分で費用のかかるものである。例えば、圧力スイングプロセスには、プロセスガス流の圧力を上げたり下げたりする必要があることから高コストであるという欠点がある。温度スイングプロセスには、高表面積の固体は一般的に伝熱性が低いことから、吸着剤の効率的な加熱及び冷却が難しいという欠点がある。
【発明の概要】
【０００６】
１つの実施の形態では、ガス流から成分を除去する方法が提供される。１つの実施の形態では、該方法は、除去対象の成分を含むガス流を準備することと、ガス流が上昇するにつれて、成分をガス流から、リアクタの吸着部を落下する吸着剤のマイクロビーズへと吸着させることとを含む。
【０００７】
１つの実施の形態では、ガス流から成分を除去する第２の方法が提供される。１つの実施の形態では、該方法は、除去対象の成分を含むガス流を準備することと、ガス流が上昇するにつれて、成分をガス流から、リアクタの吸着部を落下する吸着剤のマイクロビーズへと吸着させることと、リアクタの蒸留部において吸着剤を加熱することであって、吸着剤から成分を放出することと、吸着剤を冷却するとともに、リアクタの吸着部へと吸着剤を再循環させることであって、吸着工程を行うこととを含む。
【０００８】
１つの実施の形態では、ガス流から選択成分を除去するリアクタが提供される。１つの実施の形態では、リアクタは、ガス流が上方へと送出される一方で吸着剤のマイクロビーズが落下する吸着部と、吸着剤から他の成分を除去する、吸着部と接続された移行部と、吸着剤から選択成分を除去する、移行部と接続された蒸留部とを備える。
【０００９】
本発明の教示は、以下の詳細な説明を添付の図面と併せて考慮することで容易に理解することができる。
【図面の簡単な説明】
【００１０】
【図１】炭素吸着剤技術を擁する発電所の一実施形態のプロセスフロー図である。
【図２】炭素吸着剤リアクタの一実施形態を示す図である。
【図３】リアクタ及び蒸留部（stripper）に残るガスの組成を示すグラフ図である。
【図４】ガス流から特定の成分を除去するフロー図である。
【図５】炭素吸着剤リアクタの吸収部のブロック図である。
【図６】吸収部のより詳細な図である。
【発明を実施するための形態】
【００１１】
理解を容易にするために、複数の図面に共通する同一要素を指定するのに、可能な限り同一の符号を使用している。
【００１２】
本開示は、ガス混合物を吸着分離、例えば排ガスから二酸化炭素（ＣＯ２）を吸着分離し、またクロロシランからの不純物、例えば三塩化ホウ素の吸着分離によりガスを精製する落下式マイクロビーズプロセス及びその均等物を提供する。本明細書で開示される落下式マイクロビーズプロセスは、現在利用されている技術よりも効率的にガス混合物から成分を除去する方法を提供する。
【００１３】
図１に、炭素吸着剤技術を擁する発電所の一実施形態のプロセスフロー図１００を示す。一実施形態では、発電所で炭素を多く含む燃料の燃焼が利用され、これにより大量のＣＯ２が生じる。ＣＯ２の大気中への放出は望ましいものではない。
【００１４】
一実施形態では、石炭（例えば粉砕したイリノイ６号炭）をボイラー１０２に送出し、そこで石炭を空気の存在下で燃焼させる。高温排ガスが熱交換器を通過し、そこで排ガスが冷却された後、ＮＯｘ除去工程及びＳＯｘ除去工程へと送られる。排ガスが選択的触媒還元（ＳＣＲ）ユニット１０４を通過し、そこでＮＯｘがアンモニア（ＮＨ３）によって窒素ガス（Ｎ２）及び水（Ｈ２Ｏ）へと還元される。次いで排ガスがバグハウス１０６に移動し、そこで繊維性フィルターを用いることで、フライアッシュが除去される。誘引通風機１０８を用いることで、排ガスを排ガス脱硫（ＦＧＤ）ユニット１１０へと送出し、そこで二酸化硫黄（ＳＯ２）をライムストーン及び空気と反応させることで、亜硫酸カルシウム及び硫酸カルシウム（ジプサム）を形成する。ジプサムを取り出した後、排ガスをリアクタ１１２に送出する。リアクタ１１２内において、ＣＯ２を排ガスから取り出し（これにより大部分がＮ２、Ｏ２及び残りは水蒸気となる）、ＣＯ２コンプレッサ１１４へと送り、化学原料として使用するか又は隔離する。ＣＯ２リーン（lean）排ガスは排気筒へと送られ、大気中へと排出される。
【００１５】
ボイラー１０２により生じる蒸気サイクルを利用して、タービン１１６を回し、それにより発電機１１８を作動させ、電力を生産する。蒸気はコンデンサ１２０及び給水予熱システム１２２を通じて再循環され、プロセスフロー１００が完成する。
【００１６】
図２に、リアクタ１１２のより詳細なブロック図を示す。リアクタ１１２は落下式マイクロビーズリアクタと称されることもある。リアクタ１１２には、吸着部２０２と、移行部２０４と、蒸留部２０６と、脱水／冷却部２２４とが含まれる。
【００１７】
一実施形態では、リアクタ１１２は、落下式マイクロビーズシステムを用いた連続プロセスをもたらす。一実施形態では、排ガスが排ガス流２０８を通じてリアクタ１１２へと流入すると、排ガスは上方へと流れ、固体吸着剤はガスの流れに対向して移動するようにカラムを落下する。
【００１８】
一実施形態では、固体吸着剤は、該吸着剤がリアクタを何回も循環することができるように硬質でかつ耐摩耗性を有するように設計することができる。吸着剤は流入したガスから特定の成分を除去する性能が高く、除去対象の特定の成分に対する容量が大きいものであり得る。吸着剤は、高い吸着速度及び脱着速度、低い吸着脱着熱、高い熱水安定性、低い熱容量、並びに高い熱伝導率を有するものとする。吸着剤には、固体がカラムを円滑に流れ落ちることができるように球状粒物質が選択され得る。
【００１９】
除去対象の特定の成分がＣＯ２である一実施形態では、吸着剤は、高表面積炭素系吸着剤、例えば改良型炭素吸着剤（ＡＣＳ）を含み得る。一実施形態では、ＡＣＳが吸着剤として使用されるが、任意のタイプのガス混合物を上記の特徴を満たす任意のタイプの吸着剤によって分離することができることに留意されたい。例えば、本プロセス及びリアクタシステムは、石炭工場、ガスタービン、ディーゼルエンジン及び同様の燃焼システムからの排出ガスからＣＯ２を除去するのにも使用することができる。
【００２０】
このタイプのリアクタプロセスを、天然ガス源から、又は合成ガス若しくは改質ガスから、又はフィッシャートロプシュ法によるガス排出若しくは再循環ループからＣＯ２を除去するのにも使用することができる。このシステムは、半導体用途においてガスを精製又は分離するのにも使用することができる。例えば、ＳｉＦ４、クロロシラン、ブロモシラン等のＳｉのハロゲン化物、及びＢＦ３、ＢＣｌ３、ＰＣｌ５、ＯＰＣｌ３等のドープガスを分離又は精製することができる。同様に、このシステムを用いて、シラン、ボラン又はホスフィン等の水素化物を精製することができる。
【００２１】
このシステムを、乳牛システム又はフィードロット牛システムからＮＨ３を除去するのにも使用することができる。このシステムは、工業用地、病院又は畜産業務による悪臭を発生する分子を除去するのにも使用することができる。
【００２２】
ＡＣＳは上述の吸着剤の所望の特徴を示す。例えば、ＡＣＳは、高いＣＯ２容量（１気圧（ａｔｍ）のＣＯ２でおよそ２０重量％）と、他の排ガス成分を上回る良好なＣＯ２選択性とを有する。ＣＯ２の吸着は、吸着剤の細孔において極めて低い活性化エネルギー（およそ５キロジュール（ｋＪ）／モル未満）で行われ、それにより吸着剤の迅速な循環が可能となる。比較的低い脱着熱（２８ｋＪ／モル）によって、このプロセスの再生に対する熱要件が低いことが示唆される。蒸気による直接加熱をＣＯ２脱着に使用することができる。適度に高い温度で再生するＡＣＳを、吸着剤上に吸着した水分の蒸発冷却によって冷却することができる。直接加熱及び冷却は、ガスの必要性を固体熱交換器に限定することにより、プロセスを単純化する。大量の排ガスを少量（small inventory）の吸着剤で分離することができる。
【００２３】
吸着剤の寿命は、１年で５００００回を超える吸着／脱着サイクルに耐えることができるものでもよい。ＡＣＳ粒の球形性（直径およそ１００ミクロン（μｍ）〜３００μｍ）によって、玉軸受（ball bearing）のように傾斜面上での円滑な流れが可能となる。ＡＣＳの液体のようなこの自由流動特徴によって、気固接触デバイスとしての市販の構造充填剤の使用が可能となる。水と比較した吸着剤の低い熱容量（およそ１ジュール（Ｊ）／グラム（ｇ）／ケルビン（Ｋ））によって、ＡＣＳを再生温度まで加熱するのに必要とされる熱エネルギーが最小限に抑えられる。０．８ワット（ｗ）／メートル（ｍ）・ＫというＡＣＳの熱伝導率によって、表面とマイクロビーズの内部との間で迅速な熱平衡が為される。ＡＣＳは基本的に疎水性であり、凝縮水とＡＣＳとの間で弱い相互作用を示す。凝縮水を脱着するのに要する熱エネルギーは、分子篩（ゼオライト）、アルミナ、及びシリカに見られるような酸化物表面から水を蒸発するのに要する熱エネルギーよりも著しく低い。
【００２４】
吸着部２０２には構造充填剤が含まれ得る。構造充填剤は、排ガスから吸着剤へのＣＯ２のより良好な吸収を促すように設計され得る。
【００２５】
充填物質はガス混合物及び固体吸着剤の両方の均一な流れを維持するのにも役立つ。このことが、最小限の圧力降下でガスと固体吸着剤との良好な接触をもたらす。
【００２６】
吸着部２０２の設計は、比較的低い圧力降下、例えばおよそ０．１  ｉｎＨ２Ｏ／ｆｔ充填剤〜１．０  ｉｎＨ２Ｏ／ｆｔ充填剤をもたらす。例えば、およそ２．４フィート（ｆｔ）／秒（ｓ）の気流速度では、測定される圧力降下はおよそ０．４  ｉｎＨ２Ｏ／ｆｔ充填剤（０．０１４ｐｓｉ／ｆｔ）であった。発電所で発生する排ガスが大量であることから、圧力降下が低いことは重要である。この低い圧力降下は、ガスの流れに対して高い圧力降下を引き起こす吸着剤粒の固定床、密集移動（dense moving）床又は流動床を使用する従来のリアクタとは大きく異なるものである。高い圧力降下はＣＯ２捕集コストを増大させる。このため低い圧力降下は、効率の向上及びコストの低下をもたらす。
【００２７】
加えて、適切な吸着剤（例えばＣＯ２除去ではＡＣＳ）の使用によって、ＡＣＳ吸着剤の迅速なＣＯ２吸着脱着速度及び優れた耐摩耗性から、吸着剤の迅速な循環が可能となる。このことが小型リアクタ設計を可能にし、システムの資本コストを削減し得る。
【００２８】
図２を更に参照すると、排ガスが吸着部２０２を通って上昇し、吸着剤マイクロビーズが吸着部２０２を落下する。これは図５に高度に示されている。図５は、吸着部２０２において、どのように吸着剤マイクロビーズ５０２が落下し、排ガスが上昇するかを示すものである。
【００２９】
上昇する排ガスからＣＯ２を除去し、排気流２１０を通じて低ＣＯ２ガスを取り除く。吸着剤マイクロビーズは、排ガス流２０８から幾らかのＮ２及びＯ２を捕集することもある。このプロセスは図６により詳細に示されている。図６は、流２２２を通じて加えられる吸着剤マイクロビーズ５０２を示すものである。吸着剤マイクロビーズ５０２が流２２２を通じて流入し、吸着部２０２を落下する一方で、該吸着剤マイクロビーズ５０２がガス流６１０を通じて流入した排ガスと接触し、ＣＯ２濃度の増大に伴い、吸着剤マイクロビーズ５０２により多くのＣＯ２が吸着される。マイクロビーズ６０６には、吸着剤マイクロビーズ５０２より多くのＣＯ２を含むマイクロビーズ６０４より多くのＣＯ２を含むマイクロビーズ６０２よりも多くの吸着ＣＯ２が含まれている。これに対して、吸着剤マイクロビーズ５０２が吸着部２０２を下方に移動するにつれて、Ｎ２及びＯ２の濃度が低下するが、これは吸着剤マイクロビーズ５０２が吸着したＮ２及びＯ２を放出し、Ｎ２及びＯ２が排気流２１０とともに除去されるためである。一実施形態では、吸着は、吸着部２０２において周囲温度近く（例えば約２０℃〜３０℃）、およそ１ａｔｍの圧力で行うことができる。
【００３０】
高ＣＯ２吸着剤マイクロビーズが移行部２０４へと落下する。移行部２０４は、残留する吸着したＮ２及びＯ２を脱着させるのに用いられる。Ｎ２及びＯ２は、固体吸着剤が下部の蒸留部２０６からの上方へと流れる純粋なＣＯ２流と接触すると脱着する。脱着したＮ２及びＯ２は吸着部２０２へと押し戻され、低ＣＯ２ガス流２１０と混合する。上方へと流れるＣＯ２流が吸着剤マイクロビーズによって吸着され、蒸留部２０６へと下方に戻される。
【００３１】
吸着剤マイクロビーズが移行部２０４を下方へと移動するにつれて、吸着剤マイクロビーズでは、ＣＯ２の分圧の増大及び軽質ガスの分圧の低減が起こる。これによって、吸着剤マイクロビーズはより多くのＣＯ２を吸着するとともに、Ｎ２及びＯ２を脱着することになる。移行部２０４の底では、吸着剤は純粋なＣＯ２で飽和状態にある。
【００３２】
蒸留部２０６では、蒸気がガス流２１４を通じて導入される。一実施形態では、蒸気はおよそ１バールの圧力である。蒸気が吸着されると、吸着剤の温度が上昇し、それによりＣＯ２の脱着が起こる。さらにこの蒸気はＣＯ２分圧の低減にも作用し、ＣＯ２の更なる除去が増進される。脱着したＣＯ２が蒸留部の外へと上方に流れ、そこで脱着したＣＯ２は純粋なＣＯ２としてガス流２１２を通じて引き抜かれる。
【００３３】
脱水／冷却部２２４では、吸着剤マイクロビーズを回収した後、吸着剤マイクロビーズをガス流２２０からの低温の乾燥空気に接触させることによって冷却及び再生する。吸着剤マイクロビーズを、空気との熱的接触によって空気を高温にし、また吸着した水蒸気の蒸発によって空気を加湿させることで冷却する。高温の加湿空気をコンデンサ２１８において冷却及び乾燥させ、吸着部２０２へと還送するようにポンプ２１６によって送り出し、残留するＣＯ２を捕集する。
【００３４】
次いで低温乾燥吸着剤を吸着剤還送管２２２に通してリアクタ１１２の上部の吸着部２０２へと還送し、再びサイクルを始動させる。一実施形態では、リアクタ１１２には、吸着剤を蒸留部２０６から吸着部２０２へと還送させる任意の手段が含まれ得る。一実施形態では、この手段は、例えばコンベア、エレベータ、空気圧式リフト等の機械的手段を含み得る。
【００３５】
吸着工程及び脱着工程の両方の速度が迅速であることで、吸着部２０２及び蒸留部２０６の期間を非常に短くすることが可能となる。例えば、滞留時間は、ガス１ｋｇに付きおよそ１ｋｇ〜２０ｋｇの吸着剤を添加する場合で、およそ６秒〜１０秒であり得る。
【００３６】
図３に、１５％  ＣＯ２の供給ガス流を、ＣＯ２を含まないリーンガス流及び純粋なＣＯ２生成ガス流へと分離する際の吸着剤マイクロビーズシャワー及び蒸気蒸留の有効性を示すグラフ３００を示す。ｘ軸３０２は実行時間（秒）を示し、ｙ軸３０４は複数の菱形で構成される線で示される蒸留部２０６に残る生成ガス中のＣＯ２（％）を示し、ｙ軸３０６は複数の三角形で構成される線で示される吸着部２０２に存在するリーンガス流２１０中のＣＯ２（％）を示す。吸着部２０２に関しては、３０８の時点で吸着剤の流れを開放する。ｙ軸３０６に関するグラフに示されるように、数秒以内にリーンガス流中のＣＯ２の量が急減する。３１４の時点で、吸着剤の流れを停止すると、リーンガス流中のＣＯ２の量が再び急増する。
【００３７】
ｙ軸３０４に示されるように、蒸留部２０６に関しては、３１０の時点で蒸気を開放する。蒸気が導入されると、ＣＯ２が吸着剤から急速に脱着され、生成ガス流２１２中のＣＯ２ガスの濃度が急増し、生成流は純粋なＣＯ２になる。３１２の時点で、蒸気を停止すると、ＣＯ２ガスの濃度は再び急減する。
【００３８】
図４に、ガス流から特定の成分を除去する方法４００のフロー図を示す。一実施形態では、方法４００は上記のリアクタ１１２によって行うことができる。
【００３９】
この方法は工程４０２から開始する。方法４００の工程４０４では、除去対象の成分を含むガス流を準備する。例えば、ガス流はＣＯ２量が高い発電所の排ガス流とすることができる。除去対象の成分は排ガス流中のＣＯ２とすることができる。
【００４０】
方法４００の工程４０６では、ガス流が上昇するにつれて、成分をガス流から、リアクタの吸着部を落下する吸着剤のマイクロビーズへと吸着させる。吸着剤のマイクロビーズ及びガス流は、吸着部を通過する際にガス流と吸着剤のマイクロビーズとが積極的に混合するように構造充填物質中を流れることができる。一実施形態では、吸着剤は上記のＡＣＳ吸着剤とすることができる。
【００４１】
方法４００の工程４０８では、リアクタの蒸留部において吸着剤を加熱することで、吸着剤から成分を放出させる。例えば、高温蒸気を用いて、吸着剤を加熱することで、吸着剤から吸着したＣＯ２を放出することができる。次いで純粋なＣＯ２ガス流を通じてＣＯ２を除去することができる。
【００４２】
方法４００の工程４１０では、吸着剤を冷却して、吸着剤をリアクタの吸着部へと再循環させることで、吸着工程を行う。例えば、乾燥空気又は冷却した再循環ＣＯ２リーンガスを用いて、吸着剤を冷却及び乾燥することができる。蒸気を脱着することができ、吸着剤を蒸発冷却によって冷却することができる。次いで、吸着剤を吸着部へと還送することで、上記工程４０６においてガス流からの成分の吸着を繰り返すことができる。方法４００は工程４１２で終了する。
【実施例】
【００４３】
上記プロセスの実施例を例示的な操作範囲とともに以下に示す。実施例は図１と図２とを併せて検討することができる。下記で述べる実施例は直径およそ６インチ、高さおよそ２０フィートのリアクタシステムで実行した。
【００４４】
一実施例では、ＣＯ２を石炭火力発電所で生じ得る模擬排ガスから除去した。主な非濃縮性成分は、窒素（約６８％）、二酸化炭素（約１５％）及び酸素（約１７％）である。
【００４５】
このプロセスに使用される高表面積活性炭吸着剤は、約１０：１というＮ２及びＯ２に対するＣＯ２選択性を有する。そのためこのプロセスでは、Ｎ２及びＯ２が上部画分を形成し、ＣＯ２が下部画分へと分離する。
【００４６】
１５％という模擬排ガスＣＯ２濃度では、炭素吸着剤は５ｗｔ％〜６ｗｔ％（炭素吸着剤１ｋｇ当たりのＣＯ２のｋｇ）を吸着する。本実施例で述べられるパラメータでは、およそ５秒〜６秒という吸着部２０２での滞留時間は、排ガスからＣＯ２を効率的に分離するのに十分であった（例えば９０％を超える捕集効率）。リアクタ１１２の上部への炭素吸着剤の流れは、排ガスからＣＯ２が完全に吸着されるように排ガス１ｋｇ当たり５ｋｇの吸着剤に設定する。
【００４７】
吸着剤はリアクタ１１２のカラムを継続的に落下し、蒸留部２０６からの純粋なＣＯ２の上方への流れに曝される。移行部では、吸着部２０２で吸着された少量のＮ２及びＯ２が放出され、吸着部２０２へと還送されて、最終的に上部画分とともに排出される。吸着剤が蒸留部２０６の上部に到達した時点で、吸着剤は純粋なＣＯ２で飽和状態にある。純粋な（例えば純度９０％を超える）ＣＯ２生成物を、移行部２０４においてガス流２１２を通じてリアクタ１１２から除去する。
【００４８】
吸着剤を蒸留部２０６へと下方に流し続け、吸着剤を１バールの圧力で対向する蒸気の流れと接触させる。蒸気が吸着され、それにより吸着剤が１１０℃超へと加熱される。この温度及び純粋な蒸気雰囲気で、吸着したＣＯ２が脱着され、ＣＯ２ガスの上方への流れが生じる。
【００４９】
次いで吸着剤が蒸留部２０６の冷却部へと流れ落ち、そこで僅かな乾燥空気の流れを用いて、吸着した水蒸気を脱着し、固体を周囲温度近くまで冷却する。この時点で、空気圧式コンベアを用いて、吸着剤をリアクタ１１２の上部へと還送する。
【００５０】
様々な実施形態を上に示しているが、これらは例示的なものに過ぎず、限定するものではないことを理解されたい。そのため、好ましい実施形態の幅及び範囲は、上記の例示的な実施形態のいずれによっても限定されるものではなく、添付の特許請求の範囲及びその均等物によってのみ規定されるものとする。
【図１】
2014516785.tif 000003
【図２】
2014516785.tif 000004
【図３】
2014516785.tif 000005
【図４】
2014516785.tif 000006
【図５】
2014516785.tif 000007
【図６】
2014516785.tif 000008
【国際調査報告】
2014516785.tif 000009
2014516785.tif 000010